(57)【要約】レールの直線部に沿って直線的に移動する引込装置を用いて、引戸に取り付けた支持軸をレールの傾斜部に沿って移動させることができる引戸装置を提供する。レール（６ａ）に、引戸（２）に取り付けた支持軸を直線的に誘導する直線部（１１）、直線部（１１）に対して傾斜し、支持軸を斜めに誘導する傾斜部（１２）を設ける。レール（６ａ）の直線部（１１）に、引戸（２）を閉じる際、レール（６ａ）の直線部（１１）に設けたトリガ（１８）を捕捉して、レール（６ａ）の直線部（１１）に沿って直線的に移動する引込装置（１５）を設ける。引込装置（１５）に支持軸をレール（６ａ）の傾斜部（１２）に沿って移動させる引込力伝達部（２０）を連結する。
2021029120.tif 000002
【特許請求の範囲】
【請求項１】
引戸に取り付けた支持軸を直線的に誘導する直線部、及び前記直線部に対して傾斜して前記支持軸を斜めに誘導する傾斜部を有するレールと、
引戸を閉じる際、前記レールに設けたトリガを捕捉して、前記レールの前記直線部に沿って直線的に移動する引込装置と、
前記引込装置に連結され、前記引込装置の直線的な移動に伴って前記支持軸を前記傾斜部に沿って移動させる引込力伝達部と、を備える引戸装置。
【請求項２】
引戸に取り付けた支持軸を直線的に誘導する直線部、及び前記直線部に対して傾斜して前記支持軸を斜めに誘導する傾斜部を有するレールと、
引戸を閉じる際、引込装置によって捕捉されて、前記レールの前記直線部に沿って直線的に移動するトリガと、
前記トリガに連結され、前記トリガの直線的な移動に伴って前記支持軸を前記傾斜部に沿って移動させる引込力伝達部と、を備える引戸装置。
【請求項３】
前記引込力伝達部は、
前記レールの少なくとも前記傾斜部を走行するローラ走行体と、
前記ローラ走行体と前記引込装置に回転可能に連結されるアームと、を備えることを特徴とする請求項１又は２に記載の引戸装置。
【請求項４】
前記アームが１つ又は複数のリンクを備えることを特徴とする請求項３に記載の引戸装置。
【請求項５】
前記支持軸が前記ローラ走行体又は前記アームに支持されることを特徴とする請求項３又は４に記載の引戸装置。
【請求項６】
前記引込力伝達部は、
前記レールを走行し、前記引込装置に回転可能に連結されるローラ走行体を備え、
前記支持軸が前記ローラ走行体に支持されることを特徴とする請求項１に記載の引戸装置。
【発明の詳細な説明】
【技術分野】
【０００１】
本発明は、引戸を、開口を塞ぐ閉じ位置と開口に隣接する壁等に対面する開き位置との間を移動させる引戸装置に関する。
【背景技術】
【０００２】
この種の引戸装置として、出願人は、特許文献１に記載の引戸装置を提案している。この引戸装置は、引戸に取り付けた支持軸を誘導するレールを備える。レールは、支持軸を直線的に誘導する直線部と、直線部に対して傾斜して支持軸を斜めに誘導する傾斜部と、を備える。レールが支持軸を揺動することにより、引戸が開口を塞ぐ閉じ位置と開口に隣接する壁に対面する開き位置との間を移動する。この引戸装置によれば、引戸を閉じたときに、引戸と壁面がフラットになるので、すっきりとしたスマートな空間を演出することができる。また、引戸を開いたときに、大きな開口を形成することができる。【０００３】
引戸装置には、引戸を閉じ位置に引き込む引込装置が設けられる。引込装置は、レール側、すなわちレールの傾斜部に配置されており、直線部から傾斜部に移動したローラ走行体を捕捉し、ローラ走行体に取り付けた支持軸を閉じ位置に引き込む。
【先行技術文献】
【特許文献】
【０００４】
【特許文献１】特開２００８−２８５９４２号公報
【発明の概要】
【発明が解決しようとする課題】
【０００５】
しかし、従来の引戸装置においては、上記のように引込装置がレールの傾斜部に配置されるので、レールの傾斜部が大型化したり、レールの傾斜部の見栄えが悪くなるという問題がある。【０００６】
そこで、本発明は、レールの直線部に沿って直線的に移動する引込装置又はレールの直線部に沿って直線的に移動するトリガを用いて、引戸に取り付けた支持軸をレールの傾斜部に沿って移動させることができる引戸装置を提供することを目的とする。
【課題を解決するための手段】
【０００７】
上記課題を解決するために、本発明の一態様は、引戸に取り付けた支持軸を直線的に誘導する直線部、及び前記直線部に対して傾斜して前記支持軸を斜めに誘導する傾斜部を有するレールと、引戸を閉じる際、前記レールに設けたトリガを捕捉して、前記レールの前記直線部に沿って直線的に移動する引込装置と、前記引込装置に連結され、前記引込装置の直線的な移動に伴って前記支持軸を前記傾斜部に沿って移動させる引込力伝達部と、を備える引戸装置である。【０００８】
上記課題を解決するために、本発明の他の態様は、引戸に取り付けた支持軸を直線的に誘導する直線部、及び前記直線部に対して傾斜して前記支持軸を斜めに誘導する傾斜部を有するレールと、引戸を閉じる際、引込装置によって捕捉されて、前記レールの前記直線部に沿って直線的に移動するトリガと、前記トリガに連結され、前記トリガの直線的な移動に伴って前記支持軸を前記傾斜部に沿って移動させる引込力伝達部と、を備える引戸装置である。
【発明の効果】
【０００９】
本発明の一態様によれば、レールの直線部に沿って直線的に移動する引込装置を用いて、引戸に取り付けた支持軸をレールの傾斜部に沿って移動させることができる。【００１０】
本発明の他の態様によれば、レールの直線部に沿って直線的に移動するトリガを用いて、引戸に取り付けた支持軸をレールの傾斜部に沿って移動させることができる。
【図面の簡単な説明】
【００１１】
【図１】本発明の第１の実施形態の引戸装置の斜視図である（引戸が閉じ位置にある状態）。
【図２】本実施形態の引戸装置の斜視図である（引戸が所定位置まで開いた状態）。
【図３】レールの斜視図である（図３（ａ）はレールの上面側斜視図、図３（ｂ−１）は傾斜部の上面側斜視図、図３（ｂ−２）は傾斜部の下面側斜視図、図３（ｃ）は直線部の上面側斜視図）。
【図４】レール、引込装置、引込力伝達部の上面側斜視図である。
【図５】引込装置、引込力伝達部の上面側斜視図である。
【図６】図６（ａ）はアームとローラ走行体との連結部の斜視図であり、図６（ｂ）はアームと引込装置の連結部の斜視図である。
【図７】本実施形態の引戸装置の動作図である（引込装置がトリガを捕捉する前の状態、図７（ａ）は水平断面図であり、図７（ｂ）は図７（ａ）のｂ−ｂ線断面図である）。
【図８】本実施形態の引戸装置の動作図である（引込装置がトリガを捕捉した状態、図８（ａ）は水平断面図であり、図８（ｂ）は図８（ａ）のｂ−ｂ線断面図である）。
【図９】本実施形態の引戸装置の動作図である（引戸が閉じ位置にある状態、図９（ａ）は水平断面図であり、図９（ｂ）は図９（ａ）のｂ−ｂ線断面図である）。
【図１０】引込装置の分解図である（図１０（ａ）は平面図、図１０（ｂ）は側面図）。
【図１１】引込装置の分解図である（図１１（ａ）は平面図、図１１（ｂ）は側面図）。
【図１２】ローラ走行体とブラケットの斜視図である。
【図１３】ローラ走行体の分解斜視図である。
【図１４】ブラケットの上下調節を示す図である（図１４（ａ）は調節後のブラケットの正面図を示し、図１４（ｂ）は調節前のブラケットの正面図を示す）。
【図１５】ブラケットの左右調節を示す図である（図１５（ａ）は左方向に移動させたブラケットの正面図を示し、図１５（ｂ）はブラケットの側面図を示し、図１５（ｃ）は右方向に移動させたブラケットの側面図を示す）。
【図１６】ブラケットの前後調節を示す図である（図１６（ａ）は図１６（ｂ）のａ−ａ線断面図を示し、図１６（ｂ）はブラケットの正面図を示す）。
【図１７】本発明の第２の実施形態の引戸装置（引込装置と引込力伝達部）を示す斜視図である。
【図１８】本発明の第３の実施形態の引戸装置（引込装置と引込力伝達部）を示す斜視図である。
【図１９】本発明の第４の実施形態の引戸装置（引込装置と引込力伝達部）を示す斜視図である。
【図２０】本発明の第５の実施形態の引戸装置の斜視図である（引戸が閉じ位置にある状態）。
【図２１】本発明の第５の実施形態の引戸装置の斜視図である（引戸が所定位置まで開いた状態）。
【図２２】本発明の第５の実施形態の引戸装置のトリガ、引込力伝達部の上面側斜視図である。
【図２３】本発明の第５の実施形態の引戸装置の動作図である（引込装置がトリガを捕捉する前の状態、図２３（ａ）は水平断面図であり、図２３（ｂ）は側面図である）。
【図２４】本発明の第５の実施形態の引戸装置の動作図である（引込装置がトリガを捕捉した状態、図２４（ａ）は水平断面図であり、図２４（ｂ）は側面図である）。
【図２５】本発明の第５の実施形態の引戸装置の動作図である（引戸が閉じ位置にある状態、図２５（ａ）は水平断面図であり、図２５（ｂ）は側面図である）。
【発明を実施するための形態】
【００１２】
以下、添付図面に基づいて、本発明の実施形態の引戸装置を説明する。ただし、本発明の引戸装置は種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
（第１の実施形態）
【００１３】
図１及び図２は、本発明の第１の実施形態の引戸装置１（引戸２の上面側斜視図）を示す。図１は引戸２が閉じ位置にある状態を示し、図２は閉じ位置から開き方向に所定位置まで引戸２が開いた状態を示す。なお、以下では、説明の便宜上、引戸を正面視したときの方向、すなわち図１に示す戸先・戸尻方向及び奥行方向を用いて引戸装置１の構成を説明する。
【００１４】
３は枠、４は開口、５は壁、６ａ，６ｂはレール、７ａ，７ｂは支持軸である。レール６ａ，６ｂが引戸２に取り付けた支持軸７ａ，７ｂを誘導することにより、引戸２は、開口４を塞ぐ閉じ位置（図１参照）と開口４に隣接する壁５に対面する開き位置との間を移動する。なお、引戸２は、図２に示す所定位置から図２の戸尻方向にある開き位置まで移動する。枠３の開口４の上部には、レールを隠すための目隠し板８が設けられる。
【００１５】
レール６ａ，６ｂは、枠３の戸先側に配置される戸先側のレール６ａと、枠３の戸尻側に配置される戸尻側のレール６ｂと、を備える。レール６ａは、直線部１１と、直線部１１の端部に接続され、直線部１１に対して傾斜する傾斜部１２と、を備える。レール６ｂも、直線部１１と、直線部１１の端部に接続され、直線部１１に対して傾斜する傾斜部１２と、を備える。レール６ａがレール６ｂよりも奥側にかつ戸先側に配置される。レール６ａの直線部１１とレール６ｂの直線部１１とは平行である。
【００１６】
支持軸７ａ，７ｂは、レール６ａを移動する戸先側の支持軸７ａと、レール６ｂを移動する戸尻側の支持軸７ｂと、を備える。支持軸７ａは、レール６ａを走行するローラ走行体２１ａに支持される（図９参照）。支持軸７ｂは、レール６ｂを走行するローラ走行体２１ｂに支持される（図９参照）。支持軸７ａは、ブラケット１３ａを介して引戸２の戸先側に取り付けられる。支持軸７ｂは、ブラケット１３ｂを介して引戸２の戸尻側に取り付けられる。ブラケット１３ａの奥行方向の長さは、ブラケット１３ｂの奥行方向の長さよりも長い。
【００１７】
図１に示すように、引戸２が閉じ位置にあるとき、正面視した引戸２と壁５の前面がフラットになる（図９（ａ）参照）。引戸２を開けば、レール６ａ，６ｂの傾斜部１２が支持軸７ａ，７ｂを揺動し、引戸２が奥側にかつ戸尻側に移動する。その後、レール６ａ，６ｂの直線部１１が支持軸７ａ，７ｂを揺動し、引戸２が直線的に開き位置まで移動する。
【００１８】
図３は、レール６ａの詳細図を示す。図３（ａ）（ｃ）に示すように、レール６ａの直線部１１は、断面略Ｃ字状の筒状に形成される。直線部１１の下部には、長さ方向に延びる溝１１ａが形成される。溝１１ａの両脇を引込装置１５（図５参照）のローラ１６が走行し、またローラ走行体２１ａ（図５参照）のローラ２２が走行する。また、溝１１ａの内側を引込装置１５（図５参照）の振止めローラ１７が走行し、またローラ走行体２１ａ（図５参照）の振止めローラ２３が走行する。
【００１９】
図３（ａ）に示すように、レール６ａの直線部１１には、傾斜部１２が接続される。傾斜部１２も、断面略Ｃ字状に形成される。傾斜部１２の上部には、フランジ１２ａが形成される。図３（ｂ−２）に示すように、傾斜部１２の下部には、湾曲した溝１２ｂが形成される。この溝１２ｂは、直線部１１の溝１１ａに繋がる円弧溝１２ｂ１と、溝１１ａに対して傾斜する直線溝１２ｂ２と、を備える。なお、溝１２ｂの全体を円弧溝にしてもよい。溝１２ｂの両脇をローラ走行体２１ａ（図５参照）のローラ２２が走行する。溝１２ｂの内側をローラ走行体２１ａ（図５参照）の振止めローラ２３が走行する。
【００２０】
レール６ｂ（図１参照）は、レール６ａと略同様な構成であるので、同一の符号を附してその説明を省略する。
【００２１】
図４はレール６ａと引込装置１５を示し、図５は引込装置１５を示す。引込装置１５はレール６ａにのみ配置されていて、レール６ｂに配置されていない（図９（ａ）参照）。なお、引込装置１５をレール６ｂにのみ配置してもよいし、引込装置１５をレール６ａとレール６ｂの両方に配置してもよい。
【００２２】
１８はレール６ａに設けたトリガである。トリガ１８は図示しないねじ等によりレール６ａ又は枠３に締結される。引戸２を閉じる際、引込装置１５は、トリガ１８を捕捉して、レール６ａの直線部１１に沿って直線的に移動する。引込装置１５の移動方向と引込力の伝達方向を矢印Ａで示す。引込装置１５は、トリガ１８を捕捉した後、図４に示す閉じ位置まで移動する。
【００２３】
図５に示すように、引込力伝達部２０は、ローラ走行体２１ａと、ローラ走行体２１ａと引込装置１５に回転可能に連結されるアーム１９と、を備える。アーム１９は１つのリンクから構成される。図６（ｂ）に示すように、アーム１９の一端部は、引込装置１５の端部に垂直軸２６の回りを回転可能に連結される。図６（ａ）に示すように、アーム１９の他端部は、ローラ走行体２１ａに垂直軸２５の回りを回転可能に連結される。
【００２４】
図７ないし図９は、引戸２を閉じる際の引戸装置１の動作図を示す。図７に示すように、引戸２を閉じる際、引戸２と一緒に引込装置１５がレール６ａの直線部１１に沿って移動する。図７は、引込装置１５がトリガ１８を捕捉する前の状態を示す。
【００２５】
図８に示すように、引込装置１５がトリガ１８の軸部１８ａを捕捉すると、引込装置１５は矢印Ａ方向に引込力を発生させ、矢印Ａ方向に直線的に移動する。引込装置１５の引込力は、アーム１９を介してローラ走行体２１ａに伝わる。ローラ走行体２１ａは、レール６ａの傾斜部１２に沿って矢印Ｂ方向へ移動する。ローラ走行体２１ａの矢印Ｂ方向への移動に伴って、ローラ走行体２１ｂも移動する。ローラ走行体２１ａ，２１ｂには、支持軸７ａ，７ｂ（図１参照）が取り付けられるので、支持軸７ａ，７ｂが傾斜部１２に沿って移動する。このため、引戸２を矢印Ｂ方向に斜めに引き込むことが可能になる。
【００２６】
図９に示すように、引込装置１５が矢印Ａ方向にさらに移動すると、ローラ走行体２１ａが傾斜部１２の先端近傍まで移動し、引戸２が閉じ位置に移動する。引戸２の閉じ位置は、引込装置１５の引込力によって保持される。引戸２を開く際には、上記と逆の動作が行われる。
【００２７】
以下に引込装置１５の構成の一例を説明する。図１０は、引込装置１５の分解図である。引込装置１５は、ベース３０、ベース３０に対して相対的にスライド可能なキャッチャ３１ａ、ベース３０とキャッチャ３１ａとの間に配置されるばね３２ａを基本構成とする。キャッチャ３１ａがトリガ１８を捕捉すると、キャッチャ３１ａが回転してキャッチャ３１ａとベース３０の湾曲溝３０ａとの係合が外れ、ばね３２ａのばね力によってベース３０が図中戸先方向に移動する。ベース３０の移動は、第１リニアダンパ３３、第２リニアダンパ３４によって制動される。
【００２８】
この実施形態では、引戸２を閉じる際だけでなく、開く際にも引込力を発生させるように、キャッチャ３１ａ，３１ｂ、ばね３２ａ，３２ｂが２つ設けられる。なお、引戸２を閉じる際にのみ引込力を発生させるように、キャッチャ３１ａ、ばね３２ａを１つ設けてもよい。
【００２９】
以下に引込装置１５のより詳細な構成を説明する。ベース３０には、第１スライダアッシ３５と第２スライダアッシ３６がスライド可能に設けられる。第１スライダアッシ３５と第２スライダアッシ３６との間には、ダンパアッシ３７がスライド可能に設けられる。ベース３０には、カバー３９（図５参照）が取り付けられる。カバー３９には、トリガ１８の軸部１８ａを受け入れる溝３９ａが形成される。
【００３０】
図１１は、第１スライダアッシ３５、第２スライダアッシ３６、ダンパアッシ３７の分解図を示す。第１スライダアッシ３５は、スライダ本体４１、キャッチャ３１ａ、プッシャ４３、誤動作防止カム４４を備える。
【００３１】
上記のように、キャッチャ３１ａがベース３０の湾曲溝３０ａに係合することにより、キャッチャ３１ａの待機位置が保持される。プッシャ４３は、キャッチャ３１ａを待機位置に保持するようにキャッチャ３１ａを押す。スライダ本体４１は、ベース３０に対するキャッチャ３１ａの相対的なスライドを安定させるために設けられる。誤動作防止カム４４は、誤動作によりキャッチャ３１ａが待機位置から外れた場合、キャッチャ３１ａを待機位置に復帰させるために設けられる。
【００３２】
第２スライダアッシ３６は、第１スライダアッシ３５と同様に、スライダ本体４１、キャッチャ３１ｂ、プッシャ４３、誤動作防止カム４４を備える。これらの構成は、第１スライダアッシ３５と略同一であるので、同一の符号を附してその説明を省略する。
【００３３】
図１１に示すように、ダンパアッシ３７は、第１リニアダンパ３３と、第２リニアダンパ３４と、第１リニアダンパ３３と第２リニアダンパ３４が配置されるダンパベース３８と、を備える。ダンパベース３８には、ダンパロック３８ａ、３８ｂが設けられる。
【００３４】
第１スライダアッシ３５がベース３０に対して相対的にスライドする際、最初にダンパベース３８と第１スライダアッシ３５との間隔が縮まり、第１リニアダンパ３３が作動する。その後、ダンパロック３８ａが解除されて、ダンパベース３８が第１スライダアッシ３５と一緒にスライドし、第２スライダアッシ３６とダンパベース３８との間隔が縮まり、第２リニアダンパ３４が作動する。第２スライダアッシ３６がベース３０に対して相対的にスライドする際は、最初に第２リニアダンパ３４が作動し、その後、第１リニアダンパ３３が作動する。
【００３５】
なお、上記の引込装置１５の構成は、あくまで一例である。プッシャ４３、誤動作防止カム４４、スライダ本体４１、ダンパアッシ３７を省略してもよい。
【００３６】
以下にローラ走行体２１ａの構成の一例を説明する。図１２は、ローラ走行体２１ａとブラケット１３ａを示す。図１３は、ローラ走行体２１ａの分解図を示す。ローラ走行体２１ａは、本体４０と、本体４０の側面に回転可能に配置される左右一対のローラ２２と、本体４０の下面に回転可能に配置される振止めローラ２３と、を備える。本体４０には、上述のアーム１９が連結される。
【００３７】
本体４０には、支持軸７ａが支持される。支持軸７ａは、本体４０に対して中心線ｃの回りを回転可能である。本体４０には、支持軸７ａの回転を滑らかにするブッシュ４２が組み込まれる。
【００３８】
支持軸７ａには、ブラケット１３ａ（図１２参照）が３次元（図１３の上下、左右、前後）の位置調節可能に取り付けられる。５７は前後調節ねじ、４４ａ，４４ｂは左右調節ねじである。４５は支持軸７ａに形成された上下調節ねじである。４６はプレート、４７はブラケット支持体である。ブラケット１３ａは、プレート４６とブラケット支持体４７との間に挟まれる（図１４（ａ）参照）。
【００３９】
ブラケット１３ａの上下調節は、以下のように行われる。図１４（ｂ）に示すように、支持軸７ａの上下調節ねじ４５をプレート４６のねじ穴に嵌め、支持軸７ａを回転させれば、プレート４６が上下に移動する。図１４（ａ）に示すように、ナット４８を締め、プレート４６とブラケット支持体４７との間でブラケット１３ａを挟めば、ブラケット１３ａがプレート４６に固定される。
【００４０】
ブラケット１３ａの左右調節は、以下のように行われる。図１５（ａ）に示すように、ブラケット支持体４７に嵌まる右側の左右調節ねじ４４ｂを締め、左側の左右調節ねじ４４ａを締めると、ブラケット支持体４７に対してブラケット１３ａが左方向に移動する。図１５（ｃ）に示すように、ブラケット支持体４７に嵌まる左側の左右調節ねじ４４ａを締め、右側の左右調節ねじ４４ｂを締めると、ブラケット支持体４７に対してブラケット１３ａが図中右方向に移動する。
【００４１】
ブラケット１３ａの前後調節は、以下のように行われる。図１６（ａ）に示すように、前後調節ねじ５７は、中央部が窪んだ鼓状に形成される。前後調節ねじ５７の窪んだ部分に支持軸７ａが係合する。ブラケット支持体４７に嵌まる前後調節ねじ５７を締めたり、緩めたりすると、支持軸７ａに対してブラケット支持体４７及びブラケット１３ａが前後方向に移動する。
【００４２】
ブラケット１３ａの上下、左右、前後の位置調節が完了したら、図１４（ａ）に示すように、固定ねじ４９をプレート４６に締め、ブラケット１３ａをプレート４６に固定する。なお、上記の３次元調節構造を設けることなく、支持軸７ａにブラケット１３ａを直接的に固定してもよい。
【００４３】
ローラ走行体２１ｂ（図９参照）は、ローラ走行体２１ａと略同一の構成であるので、その説明を省略する。
【００４４】
以上に本実施形態の引戸装置１の構成を説明した。本実施形態の引戸装置１によれば、以下の効果を奏する。
【００４５】
引込装置１５に引込力伝達部２０を連結するので、レール６ａの直線部１１に沿って直線的に移動する引込装置１５を用いて、引戸２に取り付けた支持軸７ａをレール６ａの傾斜部１２に沿って移動させることができる。
【００４６】
引込力伝達部２０が、ローラ走行体２１ａと引込装置１５に回転可能に連結されるアーム１９を備えるので、ローラ走行体２１ａをレール６ａの傾斜部１２の先端近傍まで移動させることができる。
【００４７】
アーム１９が１つのリンクから構成されるので、アーム１９の構成をシンプルにすることができる。
【００４８】
支持軸７ａをローラ走行体２１ａで支持するので、ローラ走行体２１ａと一緒に支持軸７ａをレール６ａの傾斜部１２の先端近傍まで移動させることができる。
（第２の実施形態）
【００４９】
図１７は、本発明の第２の実施形態の引込装置１５と引込力伝達部５０を示す。第１の実施形態では、支持軸７ａがローラ走行体２１ａに支持されるのに対し、第２の実施形態では、支持軸７ａがアーム１９に支持される。その他の構成は、第１の実施形態と略同一であるので、同一の符号を附してその説明を省略する。
（第３の実施形態）
【００５０】
図１８は、本発明の第３の実施形態の引込装置１５と引込力伝達部５１を示す。第１の実施形態では、アーム１９が１つのリンクから構成されるのに対し、第３の実施形態では、アーム５２が複数のリンク５３ａ，５３ｂ，５３ｃから構成される。複数のリンク５３ａ，５３ｂ，５３ｃは、垂直軸５５の回りを回転可能に連結される。第３の実施形態によれば、アーム５２を複数のリンク５３ａ，５３ｂ，５３ｃから構成するので、レール６ａの傾斜部１２の傾きが急でも、支持軸７ａを傾斜部１２に沿って移動させることができる。
（第４の実施形態）
【００５１】
図１９は、本発明の第４の実施形態の引込装置１５と引込力伝達部５６を示す。第１の実施形態では、引込力伝達部２０がローラ走行体２１ａとアーム１９から構成されるのに対し、第４の実施形態では、引込力伝達部５６がローラ走行体２１ａから構成される。ローラ走行体２１ａは、アームを介することなく、引込装置１５に垂直軸５４の回りを回転可能に連結される。ローラ走行体２１ａの構成は、第１の実施形態のローラ走行体２１ａと略同一であるので、同一の符号を附してその説明を省略する。
（第５の実施形態）
【００５２】
図２０及び図２１は、本発明の第５の実施形態の引戸装置６１を示す。図２０は引戸２が閉じ位置にある状態を示し、図２１は閉じ位置から開き方向に所定位置まで引戸２が開いた状態を示す。
【００５３】
３は枠、４は開口、５は壁、８は目隠し板、６ａ，６ｂはレール、７ａ，７ｂは支持軸である。レール６ａ，６ｂは、枠３の戸先側に配置される戸先側のレール６ａと、枠３の戸尻側に配置される戸尻側のレール６ｂと、を備える。レール６ａは、直線部１１と、直線部１１の端部に接続され、直線部１１に対して傾斜する傾斜部１２と、を備える。レール６ｂも、直線部１１と、直線部１１の端部に接続され、直線部１１に対して傾斜する傾斜部１２と、を備える。支持軸７ａ，７ｂは、レール６ａを移動する戸先側の支持軸７ａと、レール６ｂを移動する戸尻側の支持軸７ｂと、を備える。支持軸７ａは、レール６ａを走行するローラ走行体２１ａに支持される（図２２参照）。支持軸７ｂは、レール６ｂを走行するローラ走行体に支持される。支持軸７ａは、ブラケット１３ａを介して引戸２の戸先側に取り付けられる。支持軸７ｂは、ブラケット１３ｂを介して引戸２の戸先側に取り付けられる。これらの構成は、第１の実施形態の引戸装置１と同一であるので、同一の符号を附してその詳しい説明を省略する。
【００５４】
第１の実施形態の引戸装置１では、レール６ａの直線部１１に沿って直線的に移動する引込装置１５を用いて、引戸２に取り付けた支持軸７ａをレール６ａの傾斜部１２に沿って移動させるのに対し、第５の実施形態の引戸装置６１では、レール６ａの直線部１１に沿って直線的に移動するトリガ６２を用いて、引戸２に取り付けた支持軸７ａをレール６ａの傾斜部１２に沿って移動させる。レール６ａには、トリガ６２を捕捉してトリガ６２を引き込む引込装置６３ａが取り付けられる。
【００５５】
図２３（ａ）は引戸装置６１の水平断面図を示し、図２３（ｂ）は引戸装置６１の側面図を示す。引込装置６３ａは、レール６ａの直線部１１に取り付けられる。引込装置６３ａは、直線部１１に沿って延びるベース６９と、ベース６９にその長さ方向にスライド可能に設けられるキャッチャ７０と、ベース６９とキャッチャ７０との間に配置されるばね（図示せず）と、を備える。引込装置６３ａは、キャッチャ７０がトリガ６２を捕捉すると、キャッチャ７０が回転し、キャッチャ７０とベース６９との係合が外れ、ばねのばね力によってキャッチャ７０が戸先方向に移動するように構成される。キャッチャ７０の戸先方向への移動を制動するリニアダンパを設けることもできる。引込装置６３ａ自体の構成は公知であるので、これ以上の詳しい説明を省略する。
【００５６】
図２０、図２１に示すように、引戸２を閉じる際、トリガ６２は引込装置６３ａによって捕捉されて、レール６ａの直線部１１に沿って直線的に移動する。図２２に示すように、トリガ６２には、引込力伝達部２０が連結される。引込力伝達部２０は、トリガ６２の直線的な移動に伴って支持軸７ａを傾斜部１２に沿って移動させる。なお、図２０の６３ｂは、トリガ６２を捕捉してトリガ６２を戸尻側に引き込む引込装置である。引込装置６３ｂは引込装置６３ａと左右対称であり、引込装置６３ａと略同一の構成を有する。引込装置６３ｂは引戸２を開く際に引込み力を発生させる。
【００５７】
図２２に示すように、トリガ６２は、トリガ本体６４と、例えば４つのローラ６５と、例えば２つの振止めローラ６６と、を備える。トリガ本体６４は、レール６ａの直線部１１に収容される細長い直方体状の本体部６４ａと、本体部６４ａからレール６ａの直線部１１の外部に突出し、引込装置６３ａのキャッチャ７０（図２３（ｂ）参照）と係合可能な係合部６４ｂと、を有する。ローラ６５はトリガ本体６４の側面に回転可能に取り付けられ、レール６ａの直線部１１の溝１１ａ（図２３（ａ）参照）の両脇を走行する。振止めローラ６６は、トリガ本体６４の底面に回転可能に取り付けられ、直線部１１の溝１１ａ内を走行する。
【００５８】
引込力伝達部２０は、ローラ走行体２１ａと、ローラ走行体２１ａとトリガ６２に回転可能に連結されるアーム１９と、を備える。アーム１９の一端部は、トリガ６２に垂直軸６７の回りを回転可能に連結される。アーム１９の他端部は、ローラ走行体２１ａに垂直軸６８の回りを回転可能に連結される。ローラ走行体２１ａの構成は、第１の実施形態のローラ走行体２１ａ（図１２参照）と同一であるので、同一の符号を附してその説明を省略する。
【００５９】
図２３ないし図２５は、引戸２を閉じる際の引戸装置６１の動作図を示す。図２３は、引込装置６３ａがトリガ６２を捕捉する前の状態を示す。図２３に示すように、引戸２を閉じる際、引戸２と一緒にトリガ６２がレール６ａの直線部１１に沿って移動する。
【００６０】
図２４に示すように、引込装置６３ａがトリガ６２を捕捉すると、引込装置６３ａは矢印Ａ方向に引込力を発生させ、トリガ６２が矢印Ａ方向に直線的に移動する。トリガ６２に働く引込力は、アーム１９を介してローラ走行体２１ａに伝わる。ローラ走行体２１ａは、レール６ａの傾斜部１２に沿って矢印Ｂ方向へ移動する。ローラ走行体２１ａには、支持軸７ａが取り付けられるので、支持軸７ａが傾斜部１２に沿って移動する。このため、引戸２を矢印Ｂ方向に斜めに引き込むことが可能になる。
【００６１】
図２５に示すように、トリガ６２が矢印Ａ方向にさらに移動すると、ローラ走行体２１ａが傾斜部１２の先端近傍まで移動し、引戸２が閉じ位置に移動する。引戸２の閉じ位置は、引込装置６３ａの引込力によって保持される。引戸２を開く際には、上記と逆の動作が行われる。
【００６２】
以上に本実施形態の引戸装置６１の構成を説明した。本実施形態の引戸装置６１によれば、以下の効果を奏する。
【００６３】
トリガ６２に引込力伝達部２０を連結するので、レール６ａの直線部１１に沿って直線的に移動するトリガ６２を用いて、引戸２に取り付けた支持軸７ａをレール６ａの傾斜部１２に沿って移動させることができる。
【００６４】
引込力伝達部２０が、ローラ走行体２１ａと引込装置６３ａに回転可能に連結されるアーム１９を備えるので、ローラ走行体２１ａをレール６ａの傾斜部１２の先端近傍まで移動させることができる。
【００６５】
アーム１９が１つのリンクから構成されるので、アーム１９の構成をシンプルにすることができる。
【００６６】
支持軸７ａをローラ走行体２１ａで支持するので、ローラ走行体２１ａと一緒に支持軸７ａをレール６ａの傾斜部１２の先端近傍まで移動させることができる。
【００６７】
なお、本発明は上記実施形態に具現化されるのに限られることはなく、本発明の要旨を変更しない範囲で様々な実施形態に変更できる。
【００６８】
上記実施形態では、引戸を閉じる際、引戸を前方に移動させているが、引戸を後方に移動させてもよい。
【００６９】
上記実施形態では、引戸の閉じ位置において引戸と開口に隣接する壁面とをフラットにしているが、引戸と隣接する引戸とをフラットにしてもよい。
【００７０】
上記実施形態では、引戸の閉じ位置において引戸と壁面とをフラットにしているが、フラットにしなくてもよい。例えば、開口の気密性を向上させるために、引戸が開口の枠のパッキンに密着するようにしてもよい。
【００７１】
本明細書は、２０１９年８月９日出願の特願２０１９−１４７８２９に基づく。この内容はすべてここに含めておく。
【符号の説明】
【００７２】
１,６１…引戸装置
２…引戸
６ａ…レール
７ａ…支持軸
１１…直線部
１２…傾斜部
１５，６３ａ…引込装置
１８，６２…トリガ
１９，５２…アーム
２０，５０，５１，５６…引込力伝達部
２１ａ…ローラ走行体
５３ａ，５３ｂ，５３ｃ…リンク
【図１】
2021029120.tif 000003
【図２】
2021029120.tif 000004
【図３】
2021029120.tif 000005
【図４】
2021029120.tif 000006
【図５】
2021029120.tif 000007
【図６】
2021029120.tif 000008
【図７】
2021029120.tif 000009
【図８】
2021029120.tif 000010
【図９】
2021029120.tif 000011
【図１０】
2021029120.tif 000012
【図１１】
2021029120.tif 000013
【図１２】
2021029120.tif 000014
【図１３】
2021029120.tif 000015
【図１４】
2021029120.tif 000016
【図１５】
2021029120.tif 000017
【図１６】
2021029120.tif 000018
【図１７】
2021029120.tif 000019
【図１８】
2021029120.tif 000020
【図１９】
2021029120.tif 000021
【図２０】
2021029120.tif 000022
【図２１】
2021029120.tif 000023
【図２２】
2021029120.tif 000024
【図２３】
2021029120.tif 000025
【図２４】
2021029120.tif 000026
【図２５】
2021029120.tif 000027
【国際調査報告】
2021029120.tif 000028
2021029120.tif 000029
2021029120.tif 000030
2021029120.tif 000031